(57)【特許請求の範囲】
【請求項１】
入力端子と基準電位間にチョークコイルと第１のトランジスタが直列に接続され、入力端子または基準電位と第１のトランジスタの制御端子間にインピーダンス素子と第２のトランジスタが直列に接続され、第１のトランジスタとチョークコイルの接続点から第２のトランジスタの制御端子に信号を供給し、第１のトランジスタの制御端子と基準電位または入力端子との間に第３のトランジスタが接続され、電流信号に変換された出力端子の電圧変動を第３のトランジスタの制御端子に付与し、第１のトランジスタとチョークコイルの接続点の電圧を整流して出力電圧を得る自励式スイッチング電源装置において、第３のトランジスタの制御端子と基準電位または入力端子との間に第４のトランジスタを接続し、上記第１のトランジスタと上記チョークコイル間を上記第４のトランジスタの制御端子に接続し、上記第１のトランジスタからの信号により上記第４のトランジスタを駆動して上記第３のトランジスタをオフすることを特徴とする自励式スイッチング電源装置。
【請求項２】
上記基準電位または入力端子と上記第３のトランジスタの制御端子との間に容量素子が接続されたものであることを特徴とする請求項１記載の自励式スイッチング電源装置。
【請求項３】
上記第４のトランジスタの制御端子と上記第１のトランジスタのコレクタ間に、上記第４のトランジスタのターンオフを促進するダイオードが接続されたことを特徴とする請求項１または２記載の自励式スイッチング電源装置。
【請求項４】
上記インピーダンス素子は抵抗であることを特徴とする請求項１，２または３記載の自励式スイッチング電源装置。
【発明の詳細な説明】
【０００１】
【発明の属する技術分野】
この発明は、直流電流をスイッチングし平滑して所望の電圧に変換し電子機器に供給するスイッチング電源装置であって、自励発振方式によりスイッチングする自励式スイッチング電源装置に関する。
【０００２】
【従来の技術】
従来、スイッチング電源の駆動方式の一つとして、自励発振方式がある（以下、自励式と呼ぶ）。自励式スイッチング電源装置は比較的簡単な回路で構成可能であり、主に小容量の電源装置に適用される。この自励式スイッチング電源装置として、図５に示すような回路があった。
【０００３】
図５に示す回路は、高電位側の入力端子１と低電位側である基準電位側の端子３との間にフィルタ用のコンデンサＣ１が接続され、入力端子１にチョークコイルＬ１と整流用のダイオードＤ１が直列に接続され、ダイオードＤ１のカソードが出力端子２に接続されている。出力端子２と基準電位端子３間には、平滑用の出力コンデンサＣ２が接続されている。
【０００４】
入力端子１と基準電位端子３間には、チョークコイルＬ１と直列にｎｐｎ型のトランジスタＱ１が接続され、トランジスタＱ１のエミッタが基準電位端子３に接続されている。入力端子１とトランジスタＱ１のベース間には、抵抗Ｒ１とｐｎｐ型のトランジスタＱ２が、直列に接続されている。トランジスタＱ２は、エミッタが抵抗Ｒ１を介して入力端子１に接続され、コレクタはトランジスタＱ１のベースに接続されている。トランジスタＱ２のベースは、トランジスタＱ１とチョークコイルＬ１の接続点にコンデンサＣ６を介して接続されているとともに、基準電位端子３に抵抗Ｒ５を介して接続されている。また、トランジスタＱ２のベースと入力端子１間に、カソードが入力端子１に接続されたダイオードＤ２が接続されている。
【０００５】
さらに、トランジスタＱ１のベースと基準電位端子３間に、ｎｐｎ型のトランジスタＱ３が設けられ、トランジスタＱ３のコレクタがトランジスタＱ１のベースに、エミッタが基準電位端子３に接続されている。トランジスタＱ３のベースは、ｐｎｐ型のトランジスタＱ５のコレクタに接続され、トランジスタＱ５のエミッタが出力端子２に接続されている。トランジスタＱ５のベースは、抵抗Ｒ６を介して出力端子２に接続されているとともに、抵抗Ｒ７とシャントレギュレータＩＣ１の直列回路を介して基準電位端子３に接続されている。シャントレギュレータＩＣ１のリファレンス端子は、コンデンサＣ７と抵抗Ｒ８の直列回路を介してそのカソードに接続されているとともに、出力端子２と基準電位端子３間に直列に接続された抵抗Ｒ９，Ｒ１０間に接続されている。
【０００６】
次に、図５に示す自励式スイッチング電源回路の動作を説明する。先ず、入力端子１に直流電圧が印加されると、抵抗Ｒ１，Ｒ５を経てトランジスタＱ２のベース電流が流れ、トランジスタＱ２がオンする。トランジスタＱ２がオンするとそのコレクタ電流がトランジスタＱ１のベースに流れて、トランジスタＱ１をオンし、トランジスタＱ１のコレクタ電位が基準電位まで引き下げられる。これによりチョークコイルＬ１に電流が流れエネルギーが蓄えられる。
【０００７】
また、定常動作状態においては、トランジスタＱ５のコレクタからは出力電圧に応じたほぼ一定の制御電流Ｉ１が流れる。制御電流Ｉ１は、トランジスタＱ１がオンした瞬間にコンデンサＣ３を介してトランジスタＱ１のコレクタ電位が伝達されることにより負電位まで引き下げられたトランジスタＱ３のベース電位を、コンデンサＣ３を充電しながら、トランジスタＱ３のオン電圧まで上昇させる。この充電に要する所定期間後にトランジスタＱ３のベースがオン電圧に達すると、制御電流Ｉ１はトランジスタＱ３のベースに流れ込み、トランジスタＱ３はオンに移行する。
【０００８】
トランジスタＱ３がオンしコレクタ電流を流し始めると、トランジスタＱ２から供給されるトランジスタＱ１へのベース電流を減少させ、かつトランジスタＱ１のベース蓄積電荷を引抜くことになる。これにより、トランジスタＱ１のコレクタ電流は増加できなくなり、チョークコイルＬ１の通過電流も増加できなくなる。すると、チョークコイルＬ１の極性が反転をはじめ、トランジスタＱ１はオフ状態に移行する。
【０００９】
チョークコイルＬ１の極性が反転を始めると、トランジスタＱ１とチョークコイルＬ１の接続点ａの電位は上昇し、その電圧信号はコンデンサＣ６を介してトランジスタＱ２のベース電位を引き上げ、トランジスタＱ２はオフ状態に移行する。また、前記電圧信号はコンデンサＣ３を介してトランジスタＱ３のベースに与えられ、ベース電圧を上昇させトランジスタＱ３のオンを促進するとともに、トランジスタＱ１のオフを促進する。
【００１０】
そして、トランジスタＱ１がオフした後、チョークコイルＬ１からダイオードＤ１を介して出力コンデンサＣ２に電流が流れ、チョークコイルＬ１に蓄えられたエネルギーが放出される。チョークコイルＬ１のエネルギーが放出され尽くすと、チョークコイルＬ１の極性は再び反転を始める。トランジスタＱ１とチョークコイルＬ１の接続点ａの電位は下降すると、その電圧信号はコンデンサＣ６を介してトランジスタＱ２のベース電位を引き下げ、トランジスタＱ２はオン状態に移行する。また、前記電圧信号はコンデンサＣ３を介してトランジスタＱ３のベース電位を引き下げ、トランジスタＱ３をオフする。トランジスタＱ３のオフにより、オン状態のトランジスタＱ２のコレクタ電流がトランジスタＱ１のベースに流入し、トランジスタＱ１はオンに移行する。
【００１１】
このようにして図５の回路は自励発振し、トランジスタＱ１とチョークコイルＬ１の接続点ａの電圧変動をダイオードＤ１で整流し出力コンデンサＣ２で平滑することにより、出力端子２へ直流電力を供給する。
【００１２】
ここで、出力電圧の安定化について説明する。例えば図５に示す回路の出力電流を減少させると、出力電圧が上昇し、シャントレギュレー
タＩＣ１のリファレンス端子電位が上昇し、シャントレギュレータＩＣ１のカソード電流Ｉ２が増加する。これにより、トランジスタＱ５のベース電流が増加し、トランジスタＱ５のコレクタ電流が増加し、コンデンサＣ３の充電速度が増し、上述のようにトランジスタＱ３のオフ時間が減少する。トランジスタＱ３のオフ時間の減少により、トランジスタＱ１のオン時間が減少して出力電圧を低下させる。図５に示す電源回路では、以上の動作による負帰還がかかり、出力電圧の安定化が図られる。
【００１３】
なお、ダイオードＤ２とダイオードＤ３は、それぞれトランジスタＱ２とトランジスタＱ３のベースエミッタ間の逆電圧による破壊防止用に接続してあるもので、入出力電圧の条件によっては削除される。
【００１４】
【発明が解決しようとする課題】
しかしながら、このような従来の自励式スイッチング電源装置においては、トランジスタＱ１のオフした後、そのオフ期間に、チョークコイルＬ１が電流を放出し尽くし、上述の動作によりトランジスタＱ３をオフし、トランジスタＱ１のベース電位が上昇してトランジスタＱ１はオン状態に移行する。しかし、トランジスタＱ１のオフ期間の間は、常にトランジスタＱ３のベースに制御電流Ｉ１が流入しており、トランジスタＱ３はオン状態にある。チョークコイルＬ１の極性反転の後、トランジスタＱ３がオフするまでには、トランジスタＱ３のベース蓄積電荷を引き抜く時間を必要とするため、トランジスタＱ２のコレクタ電流はしばらくの間トランジスタＱ３のコレクタに流入し、その間トランジスタＱ１のベース電流は流れず、トランジスタＱ１のオンタイミングが遅れると言う問題があった。
【００１５】
この結果、この自励式スイッチング電源装置を高周波数でスイッチングさせようとすると、トランジスタＱ１のターンオンが上記のように遅れ、トランジスタＱ１は間欠動作しやすくなり、間欠動作すると出力リップル電圧の増大を招くことから、スイッチング周波数の高周波化に限界があった。スイッチング周波数を上げられないと、チョークコイルＬ１の磁気飽和の面からチョークコイルＬ１の外形の小型化の妨げとなり、結果として電源装置の小型化の障害となっていた。また、定常時のスイッチング周波数を低く設定しても、図５に示すスイッチング電源装置の回路は、出力電流を減少させるとスイッチング周波数を上げることにより出力電圧の安定化を行うため、低出力電流時にはスイッチング周波数が上昇し、間欠動作を引き起こし、出力リップル電圧の増大を招くという問題点もあった。
【００１６】
この発明は、上記の従来の技術に鑑みてなされたもので、簡単な構成でスイッチング周波数の高周波化を可能とし、出力リップル電圧を抑え、小型化にも寄与する自励式スイッチング電源装置を提供することを目的とする。
【００１７】
【課題を解決するための手段】
この発明は、入力端子と基準電位間にチョークコイルと第１のトランジスタが直列に接続され、上記入力端子または基準電位と上記第１のトランジスタの制御端子間にインピーダンス素子と第２のトランジスタが直列に接続され、上記第１のトランジスタの制御端子と基準電位または入力端子との間に第３のトランジスタが接続され、上記第１のトランジスタと上記チョークコイルの接続点から上記第２のトランジスタの制御端子に信号を供給し、電流信号に変換された出力端子の電圧変動を第３のトランジスタの制御端子に付与して上記第１のトランジスタのスイッチングを行い、上記第１のトランジスタとチョークコイルの接続点の電圧を整流して出力電圧を得る自励式スイッチング電源装置であって、第３のトランジスタの制御端子と基準電位または入力端子との間に第４のトランジスタを接続し、上記第１のトランジスタと上記チョークコイル間を適宜抵抗等を介して上記第４のトランジスタの制御端子に接続し、上記第１のトランジスタのコレクタからの信号により上記第４のトランジスタを駆動して、上記第１のトランジスタがオフしている期間は上記第３のトランジスタもオフさせるようにした自励式スイッチング電源装置である。
【００１８】
また、上記基準電位または入力端子と上記第３のトランジスタの制御端子との間に容量素子が接続されたものである。また、上記第４のトランジスタの制御端子と上記第１のトランジスタのコレクタ間に、上記第４のトランジスタのターンオフを促進するダイオードが接続されたものである。上記インピーダンス素子は抵抗である。
【００１９】
この発明の自励式スイッチング電源装置は、第３のトランジスタが第１のトランジスタのベース蓄積電荷を引抜き、第１のトランジスタがオフとなった後、第４のトランジスタにより第３のトランジスタのベースを基準電位または入力電位と短絡し、第１のトランジスタがオフしてから所定時間の後、第３のトランジスタもオフさせておくものである。これによって、次に第１のトランジスタがオンするタイミングで、第２のトランジスタから流れ出す電流を全て第１のトランジスタのベースに注入し、第１のトランジスタのターンオンを早めるようにしたものである。
【００２０】
【発明の実施の形態】
以下、この発明の実施の形態について図面に基づいて説明する。図１は、この発明の一実施形態の自励式スイッチング電源装置を示すもので、図５に示す従来の回路と同様の構成は同一の符号を付して説明する。この実施形態の自励式スイッチング電源装置は、高電位側の入力端子１と低電位側である基準電位側の端子３との間にコンデンサＣ１が接続され、入力端子１にチョークコイルＬ１とダイオードＤ１が直列に接続され、ダイオードＤ１のカソードが出力端子２に接続されている。出力端子２と基準電位端子３間には、出力コンデンサＣ２が接続されている。
【００２１】
入力端子１と基準電位端子３間には、チョークコイルＬ１と直列にｎｐｎ型のトランジスタＱ１が接続され、トランジスタＱ１のエミッタが基準電位端子３に接続されている。入力端子１とトランジスタＱ１のベース間には、抵抗Ｒ１とｐｎｐ型のトランジスタＱ２が、直列に接続されている。トランジスタＱ２は、エミッタが抵抗Ｒ１を介して入力端子１に接続され、コレクタは、トランジスタＱ１のベースに接続されている。トランジスタＱ２のベースは、トランジスタＱ１とチョークコイルＬ１の接続点にコンデンサＣ６を介して接続されているとともに、基準電位端子３に抵抗Ｒ５を介して接続されている。また、トランジスタＱ２のベースと入力端子１間に、カソードが入力端子１に接続されたダイオードＤ２が接続されている。
【００２２】
さらに、トランジスタＱ１のベースと基準電位端子３間に、ｎｐｎ型のトランジスタＱ３が設けられ、トランジスタＱ３のコレクタがトランジスタＱ１のベースに、エミッタが基準電位端子３に接続されている。トランジスタＱ３のベースは、ｐｎｐ型のトランジスタＱ５のコレクタに接続され、トランジスタＱ５のエミッタが出力端子２に接続されている。トランジスタＱ５のベースは、抵抗Ｒ６を介して出力端子２に接続されているとともに、抵抗Ｒ７とシャントレギュレータＩＣ１の直列回路を介して基準電位端子３に接続されている。シャントレギュレータＩＣ１のリファレンス端子は、コンデンサＣ７と抵抗Ｒ８の直列回路を介してそのカソードに接続されているとともに、出力端子２と基準電位端子３間に直列に接続された抵抗Ｒ９，Ｒ１０間に接続されている。
【００２３】
トランジスタＱ３のベースと基準電位端子３との間には、ｎｐｎ型のトランジスタＱ４が設けられている。このトランジスタＱ４のコレクタはトランジスタＱ３のベースに接続され、エミッタが基準電位端子３に接続されている。トランジスタＱ４のベースは、抵抗Ｒ１１を介してトランジスタＱ１のコレクタに接続されているとともに、抵抗Ｒ１２とコンデンサＣ８の並列回路を介して基準電位端子３に接続されている。さらに、トランジスタＱ４のベースとトランジスタＱ１のコレクタ間には、アノードがそのベースにカソードがコレクタに接続されたダイオードＤ４が設けられている。
【００２４】
次に、この実施形態の自励式スイッチング電源装置の動作について、図１を基にして説明する。この回路においても基本的な自励発振の動作は、上記従来の技術の図５に示す回路と同様であり、入力端子１に直流電圧が印加されると、抵抗Ｒ１，Ｒ５を経てトランジスタＱ２のベース電流が流れ、トランジスタＱ２がオンする。トランジスタＱ２がオンするとそのコレクタ電流がトランジスタＱ１のベースに流れて、トランジスタＱ１をオンし、トランジスタＱ１のコレクタ電位が基準電位まで引き下げられる。これによりチョークコイルＬ１に電流が流れエネルギーが蓄えられる。
【００２５】
また、定常動作状態においては、トランジスタＱ５のコレクタから、出力電圧に応じたほぼ一定の制御電流Ｉ１が流れる。制御電流Ｉ１は、トランジスタＱ１がオンした瞬間にコンデンサＣ３を介してトランジスタＱ１のコレクタ電位が伝達されることにより負電位まで引き下げられたトランジスタＱ３のベース電位を、コンデンサＣ３を充電しながら、トランジスタＱ３のオン電圧まで上昇させる。この充電に要する所定期間後にトランジスタＱ３のベースがオン電圧に達すると、制御電流Ｉ１はトランジスタＱ３のベースに流れ込み、トランジスタＱ３はオンに移行する。
【００２６】
トランジスタＱ３がオンしコレクタ電流を流し始めると、トランジスタＱ２から供給されるトランジスタＱ１へのベース電流を減少させ、かつトランジスタＱ１のベース蓄積電荷を引抜くことになる。これにより、トランジスタＱ１のコレクタ電流は増加できなくなり、チョークコイルＬ１の通過電流も増加できなくなる。すると、チョークコイルＬ１の極性が反転をはじめ、トランジスタＱ１はオフ状態に移行する。
【００２７】
チョークコイルＬ１の極性が反転を始めると、トランジスタＱ１とチョークコイルＬ１の接続点ａの電位は上昇し、その電圧信号はコンデンサＣ６を介してトランジスタＱ２のベース電位を引き上げ、トランジスタＱ２はオフ状態に移行する。また、前記電圧信号はコンデンサＣ３を介してトランジスタＱ３のベースに与えられ、ベース電圧を上昇させトランジスタＱ３のオンを促進するとともに、トランジスタＱ１のオフを促進する。
【００２８】
そして、トランジスタＱ１がオフした後、チョークコイルＬ１からダイオードＤ１を介して出力コンデンサＣ２に電流が流れ、チョークコイルＬ１に蓄えられたエネルギーが放出される。ここまでの動作は、上記従来の技術の図５に示す回路と同様である。
【００２９】
トランジスタＱ１がオフした後、この実施形態の回路では、トランジスタＱ１のコレクタ電位は出力端子２の電位にダイオードＤ１のVfを加えた電位まで上昇する。この電圧信号は抵抗Ｒ１１、抵抗Ｒ１２、コンデンサＣ８により設定される遅延時間を経て、トランジスタＱ４のベース電圧をトランジスタＱ４がオンできる電位まで引き上げる。そして、トランジスタＱ４はオンし、トランジスタＱ３のベース電位を低下させ、トランジスタＱ３をオフする。即ち、トランジスタＱ３がトランジスタＱ１をオフさせた後、設定した遅延時間後にトランジスタＱ３もオフする。
【００３０】
その後、トランジスタＱ１のオフ期間にチョークコイルＬ１からダイオードＤ１を介して出力コンデンサＣ２に電流が流れ、チョークコイルＬ１に蓄えられたエネルギーが放出され尽くすと、チョークコイルＬ１の極性は再び反転を始める。トランジスタＱ１とチョークコイルＬ１の接続点ａの電位は下降すると、その電圧信号はコンデンサＣ６を介してトランジスタＱ２のベース電位を引き下げ、トランジスタＱ２はオン状態に移行する。
【００３１】
この実施形態の回路では、トランジスタＱ２がオンし始めてトランジスタＱ２に流れるコレクタ電流は、図５の従来の回路とは異なり、トランジスタＱ３には流れずに全てトランジスタＱ１のベースに供給されるため、トランジスタＱ１は急速にオン状態に移行する。
【００３２】
このようにして図１の回路は高速に自励発振し、トランジスタＱ１とチョークコイルＬ１の接続点ａの電圧変動を、ダイオードＤ１で整流し出力コンデンサＣ２で平滑することにより、出力端子２へ直流電力を供給する。
【００３３】
ここで、ダイオードＤ４は、トランジスタＱ１がオンしたときに、トランジスタＱ４のベース電位を急速に引き下げて、素早くトランジスタＱ４をオフするためのものである。また、ダイオードＤ２とダイオードＤ３は、それぞれ従来の図５の回路で説明したように、トランジスタＱ２とトランジスタＱ３のベースエミッタ間の逆電圧による破壊防止用に接続してある。
【００３４】
出力電圧の安定化については、従来の図５の回路と同様に、出力電流を減少させると、出力電圧が上昇し、シャントレギュレー
タＩＣ１のリファレンス端子電位が上昇し、シャントレギュレータＩＣ１のカソード電流Ｉ２が増加する。これにより、トランジスタＱ５のベース電流が増加し、トランジスタＱ５のコレクタ電流が増加し、コンデンサＣ３の充電速度が増し、上述のようにトランジスタＱ３のオフ時間が減少する。トランジスタＱ３のオフ時間の減少により、トランジスタＱ１のオン時間が減少して出力電圧を低下させる。図１に示す電源回路でも、以上の動作による負帰還がかかり、出力電圧の安定化が図られる。
【００３５】
以上の動作により、トランジスタＱ１のターンオンを早められることから、高周波スイッチング時の間欠動作を抑制し、スイッチング周波数の高周波化を可能とし、装置の小型化にも寄与する。また、低出力電流時にスイッチング周波数が上昇しても、間欠動作を抑制し、出力リップル電圧の増大を抑えることができる。
【００３６】
次にこの発明の第二実施形態について、図２を基にして説明する。ここで上述の実施形態と同様の構成は同一の符号を付して説明を省略する。図２に示すスイッチング電源装置の回路は、上記第一実施形態におけるコンデンサＣ３とダイオードＤ３を削除し、トランジスタＱ３のベースと基準電位間にコンデンサＣ４を接続したものである。コンデンサＣ４は、コンデンサＣ３と同様に、トランジスタＱ３がオンするタイミングを設定する機能を担うものである。
【００３７】
この第二実施形態の回路の動作は、トランジスタＱ３によりトランジスタＱ１をオフさせた期間において、上記第一実施形態と同様に、設定した遅延時間後にトランジスタＱ３がオフする。その後トランジスタＱ１のオフ期間にチョークコイルＬ１が電流を放出し尽くし、極性反転した電圧信号がコンデンサＣ６を経由してトランジスタＱ２のベースに入り、トランジスタＱ２がオンし始めると、トランジスタＱ２に流れるコレクタ電流は、全てトランジスタＱ１のベースに供給される。このため、トランジスタＱ１は急速にオン状態に移行することができる。この動作は、上記第一実施形態と同様であり、上記実施形態と同様に、間欠発振を抑制しスイッチング周波数の高周波化や、電源装置の小型化を可能とする。
【００３８】
さらに、この実施形態ではコンデンサＣ３の削除により、上記第一実施形態におけるトランジスタＱ３ベースエミッタ間の逆電圧による破壊防止用ダイオードＤ３は不要となる。従って、図１の回路構成では逆電圧による破壊防止用ダイオードＤ３を設けなければならないような入出力条件の場合、この図２に示す回路が好ましい。
【００３９】
次にこの発明の第三実施形態について、図３を基にして説明する。ここで上述の実施形態と同様の構成は同一の符号を付して説明を省略する。図３に示すスイッチング電源装置の回路は、極性反転型電源にこの発明を適用したものである。この実施形態では、トランジスタＱ１〜Ｑ５が、図１の回路に対して以下のように変えられている。トランジスタＱ１はｐｎｐ型、トランジスタＱ２はｎｐｎ型、トランジスタＱ３はｐｎｐ型、トランジスタＱ４はｐｎｐ型、トランジスタＱ５はｎｐｎ型のトランジスタに置き換えられている。
【００４０】
そして、出力端子２からは、極性が反転した出力が出される。また、トランジスタＱ５のベースが、基準電位端子３に接続され、上記第一実施形態と同様に、制御電流Ｉ１によりトランジスタＱ１をオン・オフさせる。この動作は、コンデンサＣ３が充電され、トランジスタＱ３のオンによりトランジスタＱ１がオフする。このトランジスタＱ１のオフの後、トランジスタＱ４のオンによりトランジスタＱ３もオフさせている。これにより、トランジスタＱ２がオンし始めてトランジスタＱ２に流れるコレクタ電流は、トランジスタＱ３には流れずに全てトランジスタＱ１のベースから供給され、トランジスタＱ１は急速にオン状態に移行する。従って、この実施形態においても、上記第一実施形態と同様の効果を得ることができるものである。
【００４１】
次にこの発明の第四実施形態について、図４を基にして説明する。ここで上述の実施形態と同様の構成は同一の符号を付して説明を省略する。図４に示すスイッチング電源装置の回路は、上記第三実施形態におけるコンデンサＣ３とダイオードＤ３を削除し、トランジスタＱ３のベースと入力端子１間にコンデンサＣ４を接続したものである。コンデンサＣ４は、コンデンサＣ３と同様に、トランジスタＱ３がオンするタイミングを設定する機能を担うものである。
【００４２】
この第四実施形態の回路の動作は、トランジスタＱ３によりトランジスタＱ１をオフさせた期間において、上記第三実施形態と同様に、設定した遅延時間後にトランジスタＱ３がオフする。その後トランジスタＱ１のオフ期間にチョークコイルＬ１が電流を放出し尽くし、極性反転した電圧信号がコンデンサＣ６を経由してトランジスタＱ２のベースに入り、トランジスタＱ２がオンし始めると、トランジスタＱ２に流れるコレクタ電流は、全てトランジスタＱ１のベースから供給される。このため、トランジスタＱ１は急速にオン状態に移行することができる。この動作は、上記第三実施形態と同様であり、上記実施形態と同様に、間欠発振を抑制しスイッチング周波数の高周波化や、電源装置の小型化を可能とする。
【００４３】
さらに、この実施形態ではコンデンサＣ３の削除により、上記第三実施形態におけるトランジスタＱ３ベースエミッタ間の逆電圧による破壊防止用ダイオードＤ３は不要となる。従って、図３の回路構成では逆電圧による破壊防止用ダイオードＤ３を設けなければならないような入出力条件の場合、この図４に示す回路が好ましい。
【００４４】
なお、この発明の自励式スイッチング電源装置は、上記実施形態に限定されず、トランジスタは種々のトランジスタを利用することができるものであり、同様の機能を有する回路であればよい。その他の電子素子も適宜選択可能なものであり、回路構成も適宜変更し得るものである。
【００４５】
【発明の効果】
この発明の自励式スイッチング電源装置は、スイッチング素子である第１のトランジスタをオフさせる第３のトランジスタのベースと基準電位又は入力端子間にトランジスタを接続し、その制御信号を第１のトランジスタのコレクタから得ることにより、第１のトランジスタのターンオンを早め、スイッチング周波数の高周波化と間欠発振の抑制を可能としている。これより小型のチョークコイルを使用することができ、結果として小型のスイッチング電源装置を得ることが可能となる。また、低出力電流時の間欠動作を抑制できることから、低出力電流時の出力リップル電圧を低減することができる。
【図面の簡単な説明】
【図１】この発明の第一実施形態の自励式スイッチング電源装置の概略回路図である。
【図２】この発明の第二実施形態の自励式スイッチング電源装置の概略回路図である。
【図３】この発明の第三実施形態の自励式スイッチング電源装置の概略回路図である。
【図４】この発明の第四実施形態の自励式スイッチング電源装置の概略回路図である。
【図５】従来の自励式スイッチング電源装置の概略回路図である。
【符号の説明】
１    入力端子
２    出力端子
３    基準電位端子
Ｃ１，Ｃ２，Ｃ３，Ｃ４，Ｃ６，Ｃ７，Ｃ８    コンデンサ
Ｄ１，Ｄ２，Ｄ３，Ｄ４    ダイオード
ＩＣ１    シャントレギュレータ
Ｌ１    チョークコイル
Ｒ１，Ｒ５，Ｒ６，Ｒ７，Ｒ８，Ｒ９，Ｒ１０，Ｒ１１，Ｒ１２    抵抗
Ｑ１，Ｑ２，Ｑ３，Ｑ４，Ｑ５    トランジスタ
【図１】
0003710763.tif 000002
【図２】
0003710763.tif 000003
【図３】
0003710763.tif 000004
【図４】
0003710763.tif 000005
【図５】
0003710763.tif 000006